(57)【要約】【課題】箱と扉を連結する蝶番を介して、箱本体と扉との間に電気的導通を持たせた電気機器収納用箱において、簡易かつ低コストな構造で、箱本体と扉との間で確実に導通経路を確保する技術を提供すること。【解決手段】扉側蝶番４と箱側蝶番５を、蝶番ピン６により連結した電気機器収納用箱であって、該箱側蝶番５は、箱本体１との間で電気的導通を確保しながら取り付けを行う箱本体取り付け部７と、蝶番ピンと接圧により当接して蝶番ピンとの間で電気的導通を確保する管部８を有し、該蝶番ピンの頭部１５に当接して蝶番ピンとの間で電気的導通を確保する導通金具１３を、扉の側端部の折り曲げ部１０にネジ止めして導通金具１３と扉２の電気的導通を確保した。【選択図】図２
2013118214.tif 000002
【特許請求の範囲】
【請求項１】
扉側蝶番と箱側蝶番を、蝶番ピンにより連結した電気機器収納用箱であって、
該箱側蝶番は、箱本体との間で電気的導通を確保しながら取り付けを行う箱本体取り付け部と、蝶番ピンと接圧により当接して蝶番ピンとの間で電気的導通を確保する管部を有し、
該蝶番ピンの頭部に当接して蝶番ピンとの間で電気的導通を確保する導通金具を、扉の側端部の折り曲げ部にネジ止めして導通金具と扉の電気的導通を確保した
ことを特徴とする電気機器収納用箱。
【請求項２】
該導通金具は弾性金属板からなり、該導通金具を扉の側端部にネジ止めするネジの締め付けにより、該導通金具の端部が弾性的に蝶番ピンに接触して、蝶番ピンを押圧することを特徴とする請求項１記載の電気機器収納用箱。
【発明の詳細な説明】
【技術分野】
【０００１】
本発明は、箱本体と扉との間に電気的導通を持たせた電気機器収納用箱に関するものである。
【背景技術】
【０００２】
電気機器収納用箱は箱本体と扉とからなるものであり、各種の電気機器が取付けられる箱本体側は従来から接地されている。しかし扉とも電気的導通が得られていることが望まれている。
【０００３】
一般に扉は箱本体に蝶番により枢着されているため、扉側の蝶番金具と箱本体側の蝶番金具とがそれぞれ扉と箱本体に溶接されておれば、通常は内部の蝶番ピンを介して扉と箱本体との間の電気的導通を得ることができる。しかし塗装後の扉と塗装後の箱本体とを組み立てる際に、蝶番内に塗装が進入して蝶番ピンと蝶番金具との間の導通性を確保できなくなる可能性がある。
【０００４】
このため、従来は、箱と扉との各々にネジ部を形成し、各ネジ部間を電線で接続する手法が多く採用されてきたが、この場合、電線の接続作業の手間がかかる他、扉を開けた状態での搭載機器配線作業時に、電線を損傷する可能性がある、といった問題があった。
【０００５】
電線接続に伴う前記問題を回避可能な手段として、本願出願人は、塗装された箱本体に、箱箱側蝶番金具を電気的導通を確保しながら取付け、また塗装された扉に、扉側蝶番を電気的導通を確保しながら取付け、これらの蝶番金具間を導電性の蝶番ピンにより連結するとともに、扉側蝶番には、弾性金属板からなる導通金具（箱本体と扉との間で導通経路を確保するための金具）を、蝶番金具の塗装膜を破ってメタルタッチするネジによって取付け、この導通金具を前記蝶番ピンの頭部に当接させて箱本体と扉との間の電気的導通を確保する技術を開示している（特許文献１）。
【０００６】
しかし、特許文献１記載の技術では、扉側蝶番の端部を上下に屈曲形成した上で、更に、弾性金属板を断面がＵ字状になるように屈曲させてクリップ状の導通金具を形成し、該導通金具を、扉側蝶番の屈曲形成した上端部にネジ止めする構造を採用しているため、蝶番構造が複雑になる問題や、扉側蝶番の特殊加工に手間がかかりコスト高となる問題があった。
【先行技術文献】
【特許文献】
【０００７】
【特許文献１】特許４３６０６２６号公報
【発明の概要】
【発明が解決しようとする課題】
【０００８】
本発明の目的は前記の問題を解決し、箱と扉を連結する蝶番を介して、箱本体と扉との間に電気的導通を持たせた電気機器収納用箱において、簡易かつ低コストな構造で、箱本体と扉との間で確実に導通経路を確保する技術を提供することである。                                     
【課題を解決するための手段】
【０００９】
上記課題を解決するためになされた本発明の電気機器収納用箱は、扉側蝶番と箱側蝶番を、蝶番ピンにより連結した電気機器収納用箱であって、該箱側蝶番は、箱本体との間で電気的導通を確保しながら取り付けを行う箱本体取り付け部と、蝶番ピンと接圧により当接して蝶番ピンとの間で電気的導通を確保する管部を有し、該蝶番ピンの頭部に当接して蝶番ピンとの間で電気的導通を確保する導通金具を、扉の側端部の折り曲げ部にネジ止めして導通金具と扉の電気的導通を確保したことを特徴とするものである。
【００１０】
請求項２記載の発明は、請求項１記載の電気機器収納用箱において、該導通金具は弾性金属板からなり、該導通金具を扉の側端部にネジ止めするネジの締め付けにより、該導通金具の端部が弾性的に蝶番ピンに接触して、蝶番ピンを押圧することを特徴とするものである。
【発明の効果】
【００１１】
従来、箱と扉を連結する蝶番を介して、箱本体と扉との間に電気的導通を持たせた電気機器収納用箱においては、扉側蝶番の端部を上下に屈曲形成した上で、更に、弾性金属板を断面がＵ字状になるように屈曲させてクリップ状の導通金具を形成し、該導通金具を、扉側蝶番の屈曲形成した上端部にネジ止めしていたため、蝶番構造が複雑になる問題や、扉側蝶番の特殊加工に手間がかかりコスト高となる問題があったが、本発明によれば、扉側蝶番と箱側蝶番を、蝶番ピンにより連結した電気機器収納用箱において、該箱側蝶番に、箱本体との間で電気的導通を確保しながら取り付けを行う箱本体取り付け部と、蝶番ピンと接圧により当接して蝶番ピンとの間で電気的導通を確保する管部を構成した上で、該蝶番ピンの頭部に当接して蝶番ピンとの間で電気的導通を確保する導通金具を、扉の側端部の折り曲げ部にネジ止めして導通金具と扉の電気的導通を確保する構造とすることにより、扉側蝶番の特殊加工が不要となり、簡易かつ低コストな構造で導通経路を確保することができる。
【図面の簡単な説明】
【００１２】
【図１】電気機器収納用箱の全体斜視図である。
【図２】図１の要部斜視図である。
【図３】図２の垂直断面図である。
【図４】図２から導通金具を除いた状態図である。
【図５】導通金具の取付け説明図である。
【図６】図５の垂直断面図である。
【発明を実施するための形態】
【００１３】
以下に本発明の実施形態を示す。
図１において、１は電気機器収納用箱の箱本体、２は蝶番３により箱本体１に枢着された扉である。これらの箱本体１と扉２とは塗装品である。図２は第１の実施形態の要部を示す斜視図、図３はその断面図である。
【００１４】
蝶番３は、扉２に取り付けられる扉側蝶番４と、箱本体１に取り付けられる箱側蝶番５と、扉側蝶番４と箱側蝶番５を連結する導電性の蝶番ピン６から構成されている。
【００１５】
（箱側蝶番）
該箱側蝶番５は、箱本体１との間で電気的導通を確保しながら取り付けを行う箱本体取り付け部７と、蝶番ピン６と接圧により当接して蝶番ピン６との間で電気的導通を確保する管部８を有している。該箱側蝶番５は、鉄板をロール状に折り曲げて管部８を形成後、めっき処理されている。本実施形態では、箱側蝶番５の箱本体取り付け部７が、箱本体１の開口段部にタッピンネジ９で固定されて、箱本体１と箱側蝶番５間の電気的導通が確保されている。箱本体１と箱側蝶番との５間および箱側蝶番５と蝶番ピン６との間で、電気的導通を確保する手段は、本実施形態のものに限定されず、例えば、箱側蝶番を箱本体１溶接後、塗装したものの場合、蝶番ピンの外周に、箱側蝶番の管部に入り込んだ塗装を剥離する凹凸を形成したり、凹凸部材を取り付けて、電気的導通を確保することもできる。
【００１６】
（扉）
扉２は、扉を構成する鉄板の側端部が略コ字状に折り曲げて折り曲げ部１０が形成され、該折り曲げ部１０には、図４に示すように、蝶番取付け用切欠き部１１と、ねじ孔１２が形成されている。
【００１７】
該ねじ孔１２には、図５、図６に示すように、略Ｌ字状に形成された導通金具１３がネジ１４によって取付けられる。このネジ１４はタッピンネジであり、折り曲げ部１０の塗装膜を破って折り曲げ部１０との間に電気的導通を確保することができるものである。導通金具１３は弾性金属板からなり、該導通金具を扉の側端部にネジ止めするネジの締め付けにより、該導通金具の端部が弾性的に蝶番ピンに接触して蝶番ピンを押圧する。なお、略Ｌ字状に形成された導通金具１３の先端に若干下向きの傾斜を持たせ、ネジ１４の締め付けにより、蝶番ピン６の頭部１５の方向に押すようにしておけば、より確実に電気的導通を確保することができる。
【００１８】
導通金具１３の取り付けは、電気的導通を確保することができれば、タッピンネジに限定されず、例えば、折り曲げ部１０の塗装を削り取ってから、溶接することもできる。
【００１９】
図３に示すように導通金具１３の先端は蝶番ピン６の頭部１５の側面に弾性的に当接しており、蝶番ピン６との間の電気的導通を確保すると同時に、蝶番ピン６の抜け止め機能を奏している。
例えば、特許文献１記載の導通金具も、導通機能と同時に蝶番ピンの抜け止め機能を奏するものであるが、特許文献１記載の従来技術では、扉側蝶番の端部を上下に屈曲形成した上で、更に、弾性金属板を断面がＵ字状になるように屈曲させてクリップ状の導通金具を形成し、該導通金具を、扉側蝶番の屈曲形成した上端部にネジ止めする構造を採用していたため、導通機能と同時に蝶番ピンの抜け止め機能を奏するためには、扉側蝶番を大型化する必要があり製造コストアップにつながる問題があった。また、扉側蝶番の端部を上下で屈曲形成することにより、扉側蝶番を左開き・右開き扉で共用できる利点はあるが、一方材料の歩留まりが悪いという問題があった。本発明によれば、従来からある扉の折り曲げ部１０にねじ孔１２を形成するだけで導通金具１３の取付けが可能なため、これらの問題を解消することができる。
【００２０】
（扉側蝶番）
扉側蝶番４は、鉄板をロール状に曲げて形成した管部１６を有し、扉２の蝶番取付け用切欠き部１１に溶接されている。扉側蝶番４を、ネジ固定とした場合扉、扉の前面や側面にネジの取り付け箇所が現れて見栄えが悪くなる問題や、扉の前面や側面にネジが突出することにより、絶縁距離が短くなる問題や、配線作業中の引っ掛かる危険性がある問題が生じるが、溶接固定とすることによりこれらの問題を回避することができる。なお、扉２は、扉側蝶番４を固着した状態で塗装されている。
【００２１】
以上の構成からなる電気機器収納用箱では、扉側蝶番の特殊加工が不要となり、簡易かつ低コストな構造で「扉２〜扉２にネジ１４で取り付けられた導電金具１３〜導電金具１３を頭部１５に当接させる蝶番ピン６〜蝶番ピン６と接圧により当接している管部８を備える箱側蝶番５〜箱側蝶番５との間で電気的導通が確保しながら固定された箱本体１」の順に導通が行われる導通経路を確保することができる。
【符号の説明】
【００２２】
１  箱本体
２  扉
３  蝶番
４  扉側蝶番
５  箱側蝶番
６  蝶番ピン
７  箱本体取り付け部材
８  管部（箱側蝶番）
９  タッピンネジ
１０  折り曲げ部
１１  蝶番取付け用切欠き部
１２  ねじ孔
１３  導通金具
１４  ネジ
１５  蝶番ピンの頭部
１６  管部（扉側蝶番）
【図１】
2013118214.tif 000003
【図２】
2013118214.tif 000004
【図４】
2013118214.tif 000005
【図５】
2013118214.tif 000006
【図３】
2013118214.tif 000007
【図６】
2013118214.tif 000008